(57)【要約】【課題】センタ役物等の複合機能部品を、実効遊技領域等を広く確保したまま盤面に取付け可能で、また、複合機能部品の組付け作業等の作業性も向上できる複合機能部品の取付構造を提供する。【解決手段】遊技盤の盤面１に設定された遊技領域３のほぼ中央に位置する遊技演出機能部品４の周囲に、遊技演出機能を含む複数種類の機能を有する複合機能部品が、遊技演出機能部品４と共に遊技盤の正面側から視認可能に配設されるパチンコ機において、複合機能部品５を、複数の部品ユニット（上大入賞口７，機構１８，２１〜２３，３７）に分け、遊技盤の前後側に分割して前側ユニット５ａと後側複合ユニット５ｂに分けて配置した。複数の部品ユニット中の遊技盤後側の部品ユニット（機構１８，２１〜２３，３７）をセット板に取り付けて低コスト化も図った。【選択図】図２
2008237539.tif 000002
【特許請求の範囲】
【請求項１】
遊技盤の盤面に設定された遊技領域のほぼ中央に位置する遊技演出機能部品の周囲に、遊技演出機能を含む複数種類の機能を有する複合機能部品が、前記遊技演出機能部品と共に前記遊技盤の正面側から視認可能に配設されるパチンコ機において、
前記複合機能部品は、複数の部品ユニットに分けられ、前記遊技盤の前後側に分割して配置されることを特徴とする複合機能部品の取付構造。
【請求項２】
前記複数の部品ユニット中の遊技盤後側の部品ユニットは、前記遊技盤の裏面側に配置されて前記盤面側から遊技盤裏面側に排出される遊技球を下方に誘導するセット板に取り付けられることを特徴とする請求項１に記載の複合機能部品の取付構造。
【請求項３】
前記遊技演出機能部品として、遊技の演出に係る画像を含む任意の画像を表示する画像表示器が用いられ、前記複合機能部品は、前記遊技領域に打ち込まれた遊技球の入賞を容易にし得ると共に遊技を演出するセンタ役物を構成することを特徴とする請求項１又は２に記載の複合機能部品の取付構造。
【発明の詳細な説明】
【技術分野】
【０００１】
本発明は、パチンコ機に係り、特に、センタ役物のような複合機能部品を遊技領域に取り付ける構造（複合機能部品の取付構造）に関するものである。
【背景技術】
【０００２】
従来から、パチンコ機においては、遊技の興趣を高めるために遊技領域のほぼ中央位置には役物（センタ役物）と称される大形の機能部品が配設されている。この役物は、内側に演出表示装置（画像表示器）を擁し、この演出表示装置と共に遊技を演出する機能を有する。またこの役物は、遊技領域に打ち込まれた遊技球の入賞を容易にし得る機能や演出表示装置の周囲を飾る機能を有する等、多種類の機能を有し、パチンコ遊技における中枢をなす（例えば特許文献１参照）。
【０００３】
【特許文献１】特開２００６−１５８８２８号公報
【発明の開示】
【発明が解決しようとする課題】
【０００４】
上記のようなパチンコ機では、役物は多種類の機能を有しているのでその構成部品は多種、多数になるが、これらは全て、遊技盤の正面側から盤面（遊技領域）に取り付けていた。このため、役物構成部品の組付け作業や保守作業には、多くの場合、遊技盤を伴わなければならず、作業性が低かった。
また遊技領域構成部品は、通常、外周部分に取付しろが形成され、この部分を用いて盤面にねじ止め等、されるが、上記役物においてもその例外ではない（例えば特許文献１の図２５の役物周囲の取付しろ部分参照）。役物は、上記のように多種類の機能を有しており、電動部品等の可動部品を多く備えるために、取付しろを用いて確実に取付け保持されなければならない。このため従来、役物等の複合機能部品の盤面上の専有面積が広くなり、複合機能部品の占有箇所を除いた遊技領域（実効遊技領域）を狭め、あるいは複合機能部品内側の画像表示器の画面サイズを狭めるという問題があった。
【０００５】
本発明の課題は、多種類の機能を有する複合機能部品を、実効遊技領域等を広く確保したまま盤面（遊技領域）に取付け可能であり、また、複合機能部品の組付け作業や保守作業の作業性も向上できる複合機能部品の取付構造を提供することにある。
【課題を解決するための手段】
【０００６】
上記課題を解決するための手段を以下に述べる。
各手段は、項に区分し、各項に番号を付し、必要に応じて他の項の番号を引用する形式で記載する。これは、本発明の理解を容易にするためであって、本明細書に記載の技術的特徴が以下の各項に記載のものに限定されるものではない。
以下の各手段のうち、（１）項が請求項１に、（２）項が請求項２に、（３）項が請求項３に、各々対応する。なお、各手段においては、必要に応じてその作用等についても述べる。
【０００７】
（１）遊技盤の盤面に設定された遊技領域のほぼ中央に位置する遊技演出機能部品の周囲に、遊技演出機能を含む複数種類の機能を有する複合機能部品が、前記遊技演出機能部品と共に前記遊技盤の正面側から視認可能に配設されるパチンコ機において、前記複合機能部品は、複数の部品ユニットに分けられ、前記遊技盤の前後側に分割して配置されることを特徴とする複合機能部品の取付構造。
遊技演出機能部品としては、遊技の演出に係る画像を含む任意の画像を表示する画像表示器が適例であるが、遊技の演出を行う部品であれば画像表示器に限られない。
遊技演出機能を含む複数種類の機能とは、遊技演出機能の他、賞球を獲得し得る経路に遊技球を振り分けさせ得る遊技球振分け機能、遊技球移動機能、装飾機能等が挙げられる。
複合機能部品としては、遊技球の入賞を容易にし得ると共に遊技を演出するセンタ役物が適例であるが、これのみに限られない。
複合機能部品の複数の部品ユニットへの分割は、機能単位で行うのが好ましい。
複合機能部品を構成する複数の部品ユニットの殆どを遊技盤の後側に配置すれば、得られる効果は大となる。
（２）前記複数の部品ユニット中の遊技盤後側の部品ユニットは、前記遊技盤の裏面側に配置されて前記盤面側から遊技盤裏面側に排出される遊技球を下方に誘導するセット板に取り付けられることを特徴とする（１）項に記載の複合機能部品の取付構造。
セット板は、盤面側から遊技盤裏面側に排出される遊技球を下方に誘導するためのものであり、パチンコ機の遊技盤の裏面側に通常装備されている板体である。このセット板は、従来から、上記遊技球誘導用の他、若干の部品の取付板としても兼用されることがあるが、それでもまだ他の部品を取り付ける余裕のある板体であって、本項の発明は、このようなセット板の有効利用にも寄与する。
（３）前記遊技演出機能部品として、遊技の演出に係る画像を含む任意の画像を表示する画像表示器が用いられ、前記複合機能部品は、前記遊技領域に打ち込まれた遊技球の入賞を容易にし得ると共に遊技を演出するセンタ役物を構成することを特徴とする（１）項又は（２）項に記載の複合機能部品の取付構造。
【発明の効果】
【０００８】
（１）項に記載の発明によれば、遊技盤の後側に分割配置する部品ユニットの分だけ、遊技盤の前側に配置する部品ユニットが減るので、多種類の機能を有する複合機能部品、例えばセンタ役物を、実効遊技領域等を広く確保したまま盤面（遊技領域）に取付け可能となる。同様に、複合機能部品の組付け作業や保守作業の作業性も向上する。
（２）項に記載の発明によれば、（１）項に記載の発明を低コストで実施できる。盤面側（遊技領域）から遊技盤裏面側に排出される遊技球を下方に誘導するため、遊技盤の裏面側に通常配設されるセット板を、本項の部品ユニット取付板として兼用するからである。
（３）項に記載の発明によれば、（１）項又は（２）項に記載の発明において、
遊技者に遊技上種々の演出効果を与え、あるいは遊技機が稼働していない時にその遊技機の使用方法を説明したり、任意の宣伝画像を表示したりする等、様々な画像を遊技領域のほぼ中央で表示できるという効果を付加できる。また、遊技者になじみ深く、遊技の興趣を高め得るセンタ役物を備えたパチンコ機が実現される。
【発明を実施するための最良の形態】
【０００９】
以下、本発明の実施の形態を図面に基づき説明する。なお、各図間において、同一符号は同一又は相当部分を示す。
図１は、本発明が適用されたパチンコ機の遊技盤の盤面構成例を示す図である。
図示するように、盤面１にはレール２が取り付けられており、このレール２の内側には、遊技領域３が形成されている。レール２は、図示しないハンドルの操作により発射された遊技球（図示せず）が盤面１の左側上部から遊技領域３内へ打ち込まれるように案内する。
【００１０】
遊技領域３には種々の遊技領域構成部品が設けられている。
すなわち、遊技領域３のほぼ中央には、遊技演出機能部品、ここでは任意の画像を表示する液晶表示器等からなる画像表示器４が配置されている。この画像表示器４は、遊技中に図柄等、遊技者に遊技上種々の演出効果を与える画像を表示する他、パチンコ機が稼働していない時にはそのパチンコ機の使用方法を説明したり、任意の宣伝画像を表示したりする等、様々な画像を表示できる。
この画像表示器４の周囲には、遊技演出機能を含む複数種類の機能を有する複合機能部品、ここではセンタ役物５が配置されている。センタ役物５は、画像表示器４を囲む位置を装飾するが、主に遊技全体の流れの中で遊技球の入賞を容易にし得る機能を有し、また遊技に種々の演出効果を与える機能（遊技を演出する機能）を有する。このセンタ役物５の詳細は後述する。
なお、画像表示器４及びセンタ役物５は、いずれも遊技盤の正面側から視認可能に配設されていることはいうまでもない。
【００１１】
また遊技領域３には、センタ役物５の位置を基準として、下方及びその両側には始動入賞口６が、上方には上大入賞口７が、下方の始動入賞口６の直下には下大入賞口８が、各々設けられている。その他、いくつかの一般入賞口９が遊技領域３に設けられている。入賞口に入賞（入球）すると賞球が獲得される。なお７ａは、上大入賞口７を開放する羽根である。
上，下大入賞口７，８は、図１では閉じた状態を示しているが、開放時には、他の入賞口６，９よりも入賞が著しく容易な形態となるように、ここでは入賞開口が著しく大きくなるように構成されている。したがって遊技者は、上，下大入賞口７，８の開放時には一般入賞口９や始動入賞口６の入賞時よりも多くの賞球を獲得できる。
更に、遊技領域３（センタ役物５内）には、後述する第４遊技球振分け機構（終段遊技球振分け機構）が設けられる箇所に、同振分け機構への入口、後述する当り経路及び外れ経路への入口等が各々開口している（図１においては符号が省略されている）。
【００１２】
遊技領域３の左右側には、各々サイドランプ１０が設けられている。ゲート１１や風車１２も遊技領域３の適所に設けられている。
遊技領域３の最下部には、入賞しなかった遊技球を回収するアウト口１３が設けられている。
更に、上記各部品２，５，６，８〜１２やアウト口１３を避けた適宜箇所には、多数の遊技釘１４（一部のみ図示）が打ち込まれている。
なお、遊技領域３は透明ガラス板（図示せず）により覆われ、遊技球が遊技領域３から離脱することはない。
【００１３】
次に、上記センタ役物５の詳細を説明する。
センタ役物５は、本実施形態では図２に示すように、センタ役物前側ユニット５ａとセンタ役物本体をなすセンタ役物後側複合ユニット５ｂとからなり、遊技盤、詳しくは遊技盤材を構成する合板材２０に開けられた取付け穴２０ａに同合板材２０を前後両側から挟み込むようにして組み付けられる。
なお図２中、１９は、遊技盤（合板材２０）の裏面側に配置されて盤面１側、つまり遊技領域３から遊技盤裏面側に排出される遊技球を下方に誘導するセット板であり、上記センタ役物後側複合ユニット５ｂの取付板に兼用されている。つまり、センタ役物後側複合ユニット５ｂはセット板１９に取り付けられ（図３参照）、セット板１９が遊技盤裏面に取り付けられることにより、単一のセンタ役物５として組立て構成される。
【００１４】
このセンタ役物５は、上記上大入賞口７と、第１〜第４遊技球振分け機構２１〜２４と、回転演出機構２５と、遊技球上昇移動機構３７と、これらの部品（７，２１〜２５，３７）を組み込む枠体等からなる部品組込み構体（符号省略）等を備えてなる。なお本実施形態では、第１〜第４遊技球振分け機構２１〜２４及び遊技球上昇移動機構３７は演出機構も兼ねている。
この場合、上大入賞口７はセンタ役物前側ユニット５ａに組み込まれ、連絡通路３０、第１〜第４遊技球振分け機構２１〜２４、回転演出機構２５、及び遊技球上昇移動機構３７等はセンタ役物後側複合ユニット５ｂに組み込まれている。
【００１５】
各機構２１〜２５，３７中、機構２４，２５を除く機構２１〜２３，３７は、各々別個独立の部品ユニットとして構成されている。機構２４，２５は、遊技球回転演出・振分け機構１８として一体に組み付けられ、１つの部品ユニットとして構成されている（図４参照）。詳しく述べれば、センタ役物５を構成する機能部品（複合機能部品）のうち、上大入賞口７を構成する部品ユニットは、センタ役物前側ユニット５ａに配置されている。また、第１〜第３遊技球振分け機構２１〜２３、遊技球回転演出・振分け機構１８（第４遊技球振分け機構２４、回転演出機構２５）及び遊技球上昇移動機構３７を構成する部品ユニットは、センタ役物後側複合ユニット５ｂに配置されている。
すなわち、多種類の機能を有するセンタ役物５の部品ユニットの大部分が遊技盤とは別個のセンタ役物後側複合ユニット５ｂに配置されてセット板１９に取り付けられ、セット板１９が遊技盤裏面に取り付けられる構成である。したがって、センタ役物５は実効遊技領域等を広く確保したまま盤面１（遊技領域３）に取付け可能となり、また、センタ役物５の組付け作業や保守作業も、全ての部品ユニットの取付けを遊技盤に対して行うわけではなくなり、それらの作業性も向上する。センタ役物後側複合ユニット５ｂを取付ける板体も、遊技盤の裏面側に通常配設されるセット板１９が兼用される。
【００１６】
以下、図１、図５及び図６を参照して上記機構（部品ユニット）２１〜２３，１８の具体例を説明する。
図５及び図６は、図１からセンタ役物５を取り出し拡大して示す図であって、図５は正面図、図６は斜視図である。なお、図５はセンタ役物後側複合ユニット５ｂのみ示す。
【００１７】
まず第１遊技球振分け機構（初段遊技球振分け機構）２１について説明する。
第１遊技球振分け機構２１は、上大入賞口７の開放時に同入賞口７に入賞（入球）した遊技球を、画像表示器４の図中左右側に向かう２つの経路（左経路２６，右経路２７）のうちのいずれか一方に予め定められた確率で振り分ける機構である。
第１遊技球振分け機構２１は、図示例ではセンタ役物５の奥側に配置され、中央部が軸支されて左右側が交互に上下動（シーソー動作）する振分け板２８及びその駆動装置（図示せず）を備えたシーソー状に構成されている。
【００１８】
第２遊技球振分け機構（後述するリプレイ経路への振り分けのない中間段遊技球振分け機構）２２は、第１遊技球振分け機構２１により左経路２６に振り分けられ、連絡通路３０を通ってきた遊技球を、第３遊技球振分け機構２３への誘導路３１又は後述する外れ経路のいずれかに振り分ける機構である。
第２遊技球振分け機構２２は、図示例では球突き板３２及びその駆動装置（図示せず）と、外れ穴３３（図６参照）とを備えて構成されている。ここで球突き板３２は、上記連絡通路３０の縦通路部３０ａを落下し、盤面奥側から手前側（遊技者側）に延びる横通路部３０ｂを経て盤面手前側に転動してきた遊技球を振分け位置３４で図中右方向に弾き、第３遊技球振分け機構２３側に方向転換させる板体である。また外れ穴３３は、球突き板３２によって弾かれずに直進する（盤面手前側に転動し続ける）遊技球を落下させ、回収するための穴であって、図６に示すように、横通路部３０ｂ部分の行止り位置路面に開口している。
【００１９】
第２遊技球振分け機構２２（球突き板３２）は、振分け位置３４（図６参照）に来た遊技球が、予め定められた確率で第３遊技球振分け機構２３側又は外れ穴３３側に振り分けられるように、弾き動作（進退動）の時間間隔が設定されている。この弾き動作の時間間隔は、実験等によって設定される。
【００２０】
第３遊技球振分け機構（中間段遊技球振分け機構）２３は、第２遊技球振分け機構２２によって自振分け機構２３側に方向転換された遊技球を、特定の領域、ここではＶゾーンを通過（Ｖ入賞）させる当り経路３６、遊技球上昇移動機構３７を経て第４遊技球振分け機構２４に向かわせるリプレイ経路３８及びＶゾーンを通過させることのない外れ経路３９のうちのいずれか１つの経路に振り分ける機構である。
本実施形態では、第３遊技球振分け機構２３は、図６に示すように、時計回り（図中、矢印ア参照）に回転する回転体（以下、クルーンと記す。）４０及びその駆動装置（図示せず）と、クルーン４０直下のクルーン取付面４１に穿設された２つの開口（当り開口４２、外れ開口４３）とを備えて構成されている。
【００２１】
この場合、クルーン４０は、画像表示器４の下方側に位置し、回転面がほぼ水平に向けられ、その上面の回転角方向にほぼ等間隔に突条の仕切り４４を配して８等分された区域（第１〜第８区域）ｓ１〜ｓ８が形成されている。
このうち、第１区域ｓ１は、回転移動して当り開口４２と重なったときに遊技球が当り開口４２内に落下移動して当り経路３６に導入されるように構成されている。また第５区域ｓ５は、回転移動してリプレイ経路３８の入口に対向したときに遊技球がリプレイ経路３８に導入されるように構成されている。残余の第２〜第４区域ｓ２〜ｓ４及び第６〜第８区域ｓ６〜ｓ８は、回転移動して外れ開口４３と重なったときに遊技球が外れ開口４３内に落下移動して外れ経路３９に導入されるように構成されている。
なお、第１区域ｓ１近傍のクルーン４０中心に寄った箇所に立てられた細い軸体４７は、その上端部が外周側に折り曲げられ、先端に小さな円板４８が固着されており、その円板４８を正面視したときの下方の区域が第１区域ｓ１であることを遊技者に指し示す。
【００２２】
このような構成によると、第３遊技球振分け機構２３に達した遊技球は、１／８の確率で当り経路（Ｖゾーンを通過させる経路）３６又はリプレイ経路（遊技球上昇移動機構３７を経て第４遊技球振分け機構２４に向かわせる経路）３８に導入され、６／８の確率で外れ経路（Ｖゾーンを通過させることのない経路）３９に導入される。
なお、当り経路３６内に導入された遊技球も、外れ経路３９に導入された遊技球も、最終的には盤面１の裏面側のセット板１９内を経て共通に回収される。
【００２３】
遊技球上昇移動機構３７は、第３遊技球振分け機構２３によりリプレイ経路３８に振り分けられた遊技球、具体的にはリプレイ経路前半部分３８ａの出口から落下する遊技球を、第４遊技球振分け機構（終段遊技球振分け機構）２４の左側方にある側方入口２４ａに進入させる機構である。
遊技球上昇移動機構３７は、図示例ではちり取り状の受台３７ａと駆動装置（図示せず）とを備えて構成されている。
上記受台３７ａは、第３遊技球振分け機構２３から送られ、リプレイ経路３８（リプレイ経路前半部分３８ａ）の出口から落下する遊技球を受け取る台である。
上記駆動装置は、受台３７ａが遊技球を受け取ると、この受台３７ａを上昇させ、リプレイ経路後半部分３８ｂの出口を第４遊技球振分け機構２４の側方入口２４ａに対向させて遊技球を同側方入口２４ａに進入させる。同駆動装置は、その後、受台３７ａを下降させ、元のリプレイ経路前半部分３８ａの出口に対向する位置に復帰させる。
【００２４】
第４遊技球振分け機構（終段遊技球振分け機構）２４は、上記側方入口２４ａや後述する上方入口２４ｂから進入してきた遊技球を、上記当り経路３６又は外れ経路３９のいずれかに振り分ける機構である。
第４遊技球振分け機構２４は、回転軸方向に交差する一端面がパチンコ機正面側に向けられた回転体５１及びその駆動装置（図示せず）と、回転体５１の他端面に近接対向する回転体取付面５２に穿設された２つの開口（当り開口５３、外れ開口５４）とを備えて構成されている。回転体５１は、外周面に２つの外れ球保持部４９と１つの当り球保持部５０とが等間隔に切欠き形成され、時計回り（図５中、矢印イ参照）に回転する。
【００２５】
この第４遊技球振分け機構２４は、進入してきた遊技球を、回転体５１の最初に対向する外れ球保持部４９又は当り球保持部５０で保持して移動させるように構成されている。そして、外れ球保持部４９に保持した遊技球を、その外れ球保持部４９が外れ経路３９の入口（外れ開口５４）に対向した際にその外れ経路３９に導入させ、また、当り球保持部５０に保持した遊技球を、その当り球保持部５０が下方に向いたときに当り経路３６の入口（当り開口５３）内に導入させるように構成されている。
【００２６】
このような構成によると、第４遊技球振分け機構２４に進入した遊技球は、１／３の確率で当り経路３６に導入され、２／３の確率で外れ経路３９に導入される。
なお、当り経路３６の入口（当り開口５３）内に導入された遊技球も、外れ経路３９の入口（外れ開口５４）内に導入された遊技球も、最終的には盤面１の裏面側のセット板１９内を経て共通に回収される。
【００２７】
回転演出機構２５は、第１遊技球振分け機構２１により右経路２７に振り分けられた遊技球を、盤面１の奥側から手前側（遊技者側）に移動させながら第４遊技球振分け機構２４の上方に移送し、同第４遊技球振分け機構２４の上方入口２４ｂに進入させる機構である。
回転演出機構２５は、図示例では２つの装飾回転体５５，５６及びその駆動装置（図示せず）と、転送通路５７（図５参照）とを備えて構成されている。
【００２８】
ここで、上述した各機構２１〜２５，３７の動作の一例を述べると、第１遊技球振分け機構２１（振分け板２８）は、始動入賞口６への入賞時の大当り抽選により大当りを引き、上大入賞口７が開放動作を開始してから終了、つまり上大入賞口７が閉成するまでの間、振分け動作する。
なお、振分け板２８は、初期状態（非動作状態）において図１に示す左下がり状態となっており、上大入賞口７が開放動作を開始すると一定時間右下がり状態となり、その後、左下がり状態に戻る。その後、上大入賞口７が開放動作を終了するまで、上述した確率に従い、上大入賞口７に入賞した遊技球が左経路２６又は右経路２７へ振り分けらるように動作する。
【００２９】
第２遊技球振分け機構２２（球突き板３２）も、第１遊技球振分け機構２１（振分け板２８）と同様、上大入賞口７が開放動作を開始してから終了、つまり上大入賞口７が閉成するまでの間、振分け動作する。
【００３０】
遊技球上昇移動機構３７（受台３７ａ）は、第３遊技球振分け機構２３から送られ、リプレイ経路前半部分３８ａの出口から落下する遊技球を受け取ると上昇を開始し、上限位置で停止して遊技球を第４遊技球振分け機構２４の側方入口２４ａ内に自重で転動移動させる（受台３７ａが遊技球重量を検出しなくなる）と、元のリプレイ経路前半部分３８ａの出口に対向する位置に復帰移動する。
以上述べた各機構２１〜２５，３７の動作形態（動作開始、終了、復帰等の時点）は一例であり、各機構２１〜２５，３７が上述した機能を発揮できれば適宜、変更可能である。
【００３１】
以上述べたように本実施形態によれば、センタ役物５を構成する機能部品（複合機能部品）のうち、上大入賞口７を構成する部品ユニットは、センタ役物前側ユニット５ａに配置されている。また、第１〜第３遊技球振分け機構２１〜２３、遊技球回転演出・振分け機構１８（第４遊技球振分け機構２４、回転演出機構２５）及び遊技球上昇移動機構３７を構成する部品ユニットは、センタ役物後側複合ユニット５ｂに配置されている。
すなわち、多種類の機能を有するセンタ役物５の部品ユニットの大部分が遊技盤とは別個のセンタ役物後側複合ユニット５ｂに配置されてセット板１９に取り付けられ、セット板１９が遊技盤裏面に取り付けられる構成である。したがって、センタ役物５は実効遊技領域等を広く確保したまま盤面１（遊技領域３）に取付け可能となり、また、センタ役物５の組付け作業や保守作業も、全ての部品ユニットの取付けを遊技盤に対して行うわけではなくなり、それらの作業性も向上する。センタ役物後側複合ユニット５ｂを取付ける板体も、遊技盤の裏面側に通常配設されるセット板１９が兼用されるので低コストですむ等の効果がある。。
【図面の簡単な説明】
【００３２】
【図１】本発明が適用されたパチンコ機の遊技盤の盤面構成例を示す図である。
【図２】図１中のセンタ役物及その周辺部の構成を説明するための分解斜視図である
【図３】同上センタ役物（後側複合ユニット）をセット板に取り付けて示す拡大正面図である。
【図４】同上センタ役物（後側複合ユニット）中の遊技球回転演出・振分け機構部分を取り出し、拡大して示す斜視図である。
【図５】同上センタ役物（後側複合ユニット）の拡大正面図である。
【図６】同じく拡大斜視図である。
【符号の説明】
【００３３】
１：盤面、３：遊技領域、４：画像表示器（遊技演出機能部品）、５：センタ役物（複合機能部品）、６：始動入賞口、７：上大入賞口、１８：遊技球回転演出・振分け機構（部品ユニット）、２１：第１遊技球振分け機構（部品ユニット）、２２：第２遊技球振分け機構（部品ユニット）、２３：第３遊技球振分け機構（部品ユニット）、２４：第４遊技球振分け機構、２５：回転演出機構、３７：遊技球上昇移動機構（部品ユニット）。
【図１】
2008237539.tif 000003
【図２】
2008237539.tif 000004
【図３】
2008237539.tif 000005
【図４】
2008237539.tif 000006
【図５】
2008237539.tif 000007
【図６】
2008237539.tif 000008